(57)【要約】  本開示は、通信技術分野に係り、シグナリングオーバーヘッドを節約するための情報処理方法、装置、コンピュータ読み取り可能な記憶媒体および電子機器を提供する。本開示の情報処理方法は、ＵＥの登録更新要求を受信することと、前記ＵＥがＭＩＣＯモードに移行したか、またはＭＩＣＯモードから移行したかを特定することと、前記ＵＥがＭＩＣＯモードから移行したと特定した場合、前記ＵＥがＭＩＣＯモードから移行しまたは到達可能であることを関連ＳＭＦに通知するための第１通知メッセージを前記関連ＳＭＦに送信することと、前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信することとを含む。【選択図】  図２
2020508610.tif 000002
【特許請求の範囲】
【請求項１】
ＵＥ（Ｕｓｅｒ  Ｅｑｕｉｐｍｅｎｔ）の登録更新要求を受信することと、
前記ＵＥがＭＩＣＯ（Ｍｏｂｉｌｅ  Ｏｒｉｇｉｎａｔｅｄ  ｃｏｎｎｅｃｔｉｏｎ  ｏｎｌｙ）モードに移行したか、またはＭＩＣＯモードから移行したかを特定することと、
前記ＵＥがＭＩＣＯモードから移行したと特定した場合、前記ＵＥがＭＩＣＯモードから移行しまたは到達可能であることを関連ＳＭＦ（Ｓｅｓｓｉｏｎ  Ｍａｎａｇｅｍｅｎｔ  Ｆｕｎｃｔｉｏｎ）に通知するための第１通知メッセージを前記関連ＳＭＦに送信することと、
前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信することとを含む情報処理方法。
【請求項２】
前記関連ＳＭＦは、ＭＩＣＯ指示または端末の到達不可能指示が送信されたＳＭＦを含み、
前記目標ＳＭＦは、ＭＩＣＯ指示または端末の到達不可能指示が送信されなかったＳＭＦを含む請求項１に記載の方法。
【請求項３】
前記ＵＥのダウンリンクシグナリングまたはデータの到達のためにトリガーされる情報通知である通知メッセージまたはダウンリンクページング要求を前記目標ＳＭＦから送信しなくなるよう、前記ＵＥがＭＩＣＯモードに移行したことを前記目標ＳＭＦに指示するためのＭＩＣＯ指示は、前記第２通知メッセージに付帯される請求項１に記載の方法。
【請求項４】
前記目標ＳＭＦが存在するか否か、および、前記第２通知メッセージを前記目標ＳＭＦに送信するか否かを特定することをさらに含む請求項１に記載の方法。
【請求項５】
前記目標ＳＭＦが存在せず、または、前記第２通知メッセージを前記目標ＳＭＦに送信する必要がないと特定した場合、直接前記ＵＥの登録更新プロセスを完成させることをさらに含む請求項４に記載の方法。
【請求項６】
前記第２通知メッセージを前記目標ＳＭＦに送信するか否かを特定することは、
前記ＵＥのサービングＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に変化が生じたかを特定することと、
前記ＵＥのサービングＡＭＦに変化が生じたと特定すると、現在のＵＥのサービングＡＭＦに変化が生じたことを目標ＳＭＦに通知することにも用いられる第２通知メッセージを前記目標ＳＭＦに送信すると特定することとを含む請求項４に記載の方法。
【請求項７】
前記ＵＥからのアップリンクデータ送信が必要であることを示すＩＤは、前記登録更新要求に付帯され、
前記ＵＥのデータプレーン伝送経路の回復を、前記ＵＥにデータ伝送サービスを提供するＳＭＦに通知することに用いられる第３通知メッセージを、前記ＵＥにデータ伝送サービスを提供するＳＭＦに送信することをさらに含む請求項１に記載の方法。
【請求項８】
前記ＵＥがＭＩＣＯモードに移行したか、またはＭＩＣＯモードから移行したかを特定することは、
位置更新前のＡＭＦから前記ＵＥのコンテキスト情報を取得することと、
前記ＵＥのコンテキスト情報に基づいて、前記ＵＥがＭＩＣＯモードに移行したか、またはＭＩＣＯモードから移行したかを特定することとを含む請求項１〜７のいずれか一項に記載の方法。
【請求項９】
ＵＥがＭＩＣＯモードに移行したかを特定することと、
前記ＵＥがＭＩＣＯモードに移行したと特定すると、前記ＵＥのダウンリンクシグナリングまたはデータの到達のためにトリガーされる情報通知である通知メッセージまたはダウンリンクページング要求を送信しなくなるよう、前記ＵＥのサービングＳＭＦに指示することとを含む情報処理方法。
【請求項１０】
前記ＵＥがＭＩＣＯモードに移行したと特定すると、通知メッセージまたはダウンリンクページング要求を送信しなくなるよう、前記ＵＥのサービングＳＭＦに指示することは、
前記ＵＥがＭＩＣＯモードに移行したと特定すると、前記ＵＥに対しＰＤＵ（Ｐｒｏｔｏｃｏｌ  Ｄａｔａ  Ｕｎｉｔ）セッションを確立するプロセスで、前記ＵＥのサービングＳＭＦを特定することと、
前記通知メッセージまたはダウンリンクページング要求を前記ＳＭＦから送信しなくなるよう、前記ＵＥがＭＩＣＯモードに移行したことを前記ＳＭＦに指示することに用いられるＭＩＣＯ指示を、前記ＳＭＦに送信することとを含む請求項９に記載の方法。
【請求項１１】
前記ＵＥがＭＩＣＯモードに移行したと特定すると、通知メッセージまたはダウンリンクページング要求を送信しなくなるよう、前記ＵＥのサービングＳＭＦに指示することは、
前記ＵＥがＭＩＣＯモードに移行したと特定すると、前記ＳＭＦから送信された前記通知メッセージまたはダウンリンクページングを拒否し、前記通知メッセージまたはダウンリンクページング要求を送信しなくなるよう前記ＳＭＦに指示することに用いられるＭＩＣＯ指示または端末の到達不可能指示を前記ＳＭＦに送信することを含む請求項９に記載の方法。
【請求項１２】
前記ＭＩＣＯ指示または前記端末の到達不可能指示が送信されたＳＭＦの情報を記憶することと、
前記ＵＥがＭＩＣＯモードから移行したと特定すると、前記情報に基づいて、前記ＵＥがＭＩＣＯモードから移行したことを示す通知を前記ＳＭＦに送信することとをさらに含む請求項１１に記載の方法。
【請求項１３】
ＵＥのダウンリンクシグナリングまたはデータの到達のためにトリガーされる情報通知である通知メッセージまたはダウンリンクページング要求の送信が必要となると、前記ＵＥがＭＩＣＯモードに移行したかを特定することと、
前記ＵＥがＭＩＣＯモードに移行したと特定すると、前記通知メッセージまたは前記ダウンリンクページング要求を前記ＵＥに送信しないことと、
前記ＵＥがＭＩＣＯモードに移行しなかったと特定すると、前記ＵＥの到達可能かを特定し、前記ＵＥの到達不可能を特定すると、前記通知メッセージまたは前記ダウンリンクページング要求を、前記ＵＥのサービングＡＭＦに送信しないこととを含む情報処理方法。
【請求項１４】
前記のＵＥがＭＩＣＯモードに移行したかを特定することは、
ＭＩＣＯ指示が記憶されたかを特定することと、
前記ＭＩＣＯ指示が記憶された場合、前記ＵＥがＭＩＣＯモードに移行したと特定し、逆の場合、前記ＵＥがＭＩＣＯモードに移行しなかったと特定することとを含む請求項１３に記載の方法。
【請求項１５】
前記ＵＥの到達可能を特定すると、前記通知メッセージまたは前記ダウンリンクページング要求を、前記ＵＥのサービングＡＭＦに送信することをさらに含む請求項１３または１４に記載の方法。
【請求項１６】
ＵＥの登録更新要求を受信する受信モジュールと、
前記ＵＥがＭＩＣＯモードに移行したか、またはＭＩＣＯモードから移行したかを特定する第１特定モジュールと、
前記ＵＥがＭＩＣＯモードから移行したと特定した場合、前記ＵＥがＭＩＣＯモードから移行しまたは到達可能であることを関連ＳＭＦに通知するための第１通知メッセージを前記関連ＳＭＦに送信する第１処理モジュールと、
前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信する第２処理モジュールとを含む情報処理装置。
【請求項１７】
前記関連ＳＭＦは、ＭＩＣＯ指示または端末の到達不可能指示が送信されたＳＭＦを含み、
前記目標ＳＭＦは、ＭＩＣＯ指示または端末の到達不可能指示が送信されなかったＳＭＦを含む請求項１６に記載の装置。
【請求項１８】
前記ＵＥのダウンリンクシグナリングまたはデータの到達のためにトリガーされる情報通知である通知メッセージまたはダウンリンクページング要求を前記目標ＳＭＦから送信しなくなるよう、前記ＵＥがＭＩＣＯモードに移行したことを前記目標ＳＭＦに指示することに用いられるＭＩＣＯ指示は、前記第２通知メッセージに付帯される請求項１６に記載の装置。
【請求項１９】
前記目標ＳＭＦが存在するか否か、および、前記第２通知メッセージを前記目標ＳＭＦに送信するか否かを特定する判断モジュールをさらに含む請求項１６に記載の装置。
【請求項２０】
前記目標ＳＭＦが存在せず、または、前記第２通知メッセージを前記目標ＳＭＦに送信する必要がないと特定した場合、直接前記ＵＥの登録更新プロセスを完成させる第３処理モジュールをさらに含む請求項１９に記載の装置。
【請求項２１】
前記判断モジュールは、
前記ＵＥのサービングＡＭＦに変化が生じたかを特定する第１判断サブモジュールと、
前記ＵＥのサービングＡＭＦに変化が生じたと特定すると、現在のＵＥのサービングＡＭＦに変化が生じたことを目標ＳＭＦに通知することにも用いられる第２通知メッセージを前記目標ＳＭＦに送信すると特定する第２判断サブモジュールとを含む請求項１９に記載の装置。
【請求項２２】
前記ＵＥからのアップリンクデータ送信が必要であることを示すＩＤは、前記登録更新要求に付帯され、
前記ＵＥのデータプレーン伝送経路の回復を、前記ＵＥにデータ伝送サービスを提供するＳＭＦに通知することに用いられる第３通知メッセージを、前記ＵＥにデータ伝送サービスを提供するＳＭＦに送信する第１送信モジュールをさらに含む請求項１６に記載の装置。
【請求項２３】
前記第１特定モジュールは、
位置更新前のＡＭＦから前記ＵＥのコンテキスト情報を取得する取得サブモジュールと、
前記ＵＥのコンテキスト情報に基づいて、前記ＵＥがＭＩＣＯモードに移行したか、またはＭＩＣＯモードから移行したかを特定する特定サブモジュールとを含む請求項１６〜２２のいずれか一項に記載の装置。
【請求項２４】
ＵＥがＭＩＣＯモードに移行したかを特定する特定モジュールと、
前記ＵＥがＭＩＣＯモードに移行したと特定すると、前記ＵＥのダウンリンクシグナリングまたはデータの到達のためにトリガーされる情報通知である通知メッセージまたはダウンリンクページング要求を送信しなくなるよう、前記ＵＥのサービングＳＭＦに指示する指示モジュールとを含む情報処理装置。
【請求項２５】
前記指示モジュールは、
前記ＵＥがＭＩＣＯモードに移行したと特定すると、前記ＵＥに対しＰＤＵセッションを確立するプロセスで、前記ＵＥのサービングＳＭＦを特定する第１特定サブモジュールと、
前記通知メッセージまたはダウンリンクページング要求を前記ＳＭＦから送信しなくなるよう、前記ＵＥがＭＩＣＯモードに移行したことを前記ＳＭＦに指示することに用いられるＭＩＣＯ指示を、前記ＳＭＦに送信する送信サブモジュールとを含む請求項２４に記載の装置。
【請求項２６】
前記指示モジュールは、具体的に、
前記ＵＥがＭＩＣＯモードに移行したと特定すると、前記ＳＭＦから送信された前記通知メッセージまたはダウンリンクページングを拒否し、前記通知メッセージまたはダウンリンクページング要求を送信しなくなるよう前記ＳＭＦに指示することに用いられるＭＩＣＯ指示または端末の到達不可能指示を前記ＳＭＦに送信する請求項２４に記載の装置。
【請求項２７】
前記ＭＩＣＯ指示または前記端末の到達不可能指示が送信されたＳＭＦの情報を記憶する記憶モジュールと、
前記ＵＥがＭＩＣＯモードから移行したと特定すると、前記情報に基づいて、前記ＵＥがＭＩＣＯモードから移行したことを示す通知を前記ＳＭＦに送信する送信モジュールとをさらに含む請求項２６に記載の装置。
【請求項２８】
ＵＥのダウンリンクシグナリングまたはデータの到達のためにトリガーされる情報通知である通知メッセージまたはダウンリンクページング要求の送信が必要となると、前記ＵＥがＭＩＣＯモードに移行したかを特定する特定モジュールと、
前記ＵＥがＭＩＣＯモードに移行したと特定すると、前記通知メッセージまたは前記ダウンリンクページング要求を前記ＵＥに送信しない第１処理モジュールと、
前記ＵＥがＭＩＣＯモードに移行しなかったと特定すると、前記ＵＥの到達可能かを特定し、前記ＵＥの到達不可能を特定すると、前記通知メッセージまたは前記ダウンリンクページング要求を、前記ＵＥのサービングＡＭＦに送信しない第２処理モジュールとを含む情報処理装置。
【請求項２９】
前記特定モジュールは、
ＭＩＣＯ指示が記憶されたかを特定する情報特定サブモジュールと、
前記ＭＩＣＯ指示が記憶された場合、前記ＵＥがＭＩＣＯモードに移行したと特定し、逆の場合、前記ＵＥがＭＩＣＯモードに移行しなかったと特定する第１特定サブモジュールとを含む請求項２８に記載の装置。
【請求項３０】
前記ＵＥの到達可能を特定すると、前記通知メッセージまたは前記ダウンリンクページング要求を、前記ＵＥのサービングＡＭＦに送信する送信モジュールをさらに含む請求項２８または２９に記載の装置。
【請求項３１】
コンピュータプログラムが記憶されているコンピュータ読み取り可能な記憶媒体であって、
前記コンピュータプログラムがプロセッサによって実行されると、請求項１〜１５のいずれか一項に記載の情報処理方法が実現されるコンピュータ読み取り可能な記憶媒体。
【請求項３２】
ハウジングと、プロセッサと、メモリと、回路板と、電源回路を含む電子機器であって、
回路板は、ハウジングで囲まれた空間の内部に設けられ、
プロセッサとメモリは、回路板に設けられ、
電源回路は、上記電子機器の各回路または素子に給電し、
メモリは、実行可能なプログラムコードを記憶し、
プロセッサは、メモリに記憶されている実行可能なプログラムコードを読み取ることによって、実行可能なプログラムコードに対応するプログラムを実行し、請求項１〜１５のいずれか一項に記載の情報処理方法を実行する電子機器。
【発明の詳細な説明】
【技術分野】
【０００１】
本願は、２０１７年３月１５日に中国特許庁に提出された中国特許出願２０１７１０１５３９３１．９の優先権を主張し、その全ての内容が援用によりここに取り込まれる。
本開示は、通信技術分野に係り、特に情報処理方法、装置、コンピュータ読み取り可能な記憶媒体および電子機器に係る。
【背景技術】
【０００２】
従来技術において、ＭＩＣＯ（Ｍｏｂｉｌｅ  Ｏｒｉｇｉｎａｔｅｄ  ｃｏｎｎｅｃｔｉｏｎ  ｏｎｌｙ）モードの端末が提案されている。当該モードに移行した端末は、コールをするが、ネットワークページングの監視を行わない。
【０００３】
ＵＥ（Ｕｓｅｒ  Ｅｑｕｉｐｍｅｎｔ）は、登録または登録更新プロセスにおいて、ＭＩＣＯモードの活性化が望まれることをネットワークに指示することができる。ネットワークのＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）は、ローカルの設定、契約、ポリシーなどの情報に基づいて、ＵＥに対しＭＩＣＯモードを活性化するかを決定する。ＵＥがＭＩＣＯモードに移行したと特定すると、ネットワークのＡＭＦは、ＵＥに対しすべてのＰＬＭＮ（Ｐｕｂｌｉｃ  Ｌａｎｄ  Ｍｏｂｉｌｅ  Ｎｅｔｗｏｒｋ）を割り当てＵＥの登録エリアとする。この場合、ＵＥは、同一のＰＬＭＮにおいて移動による登録更新を行わず、すなわち位置更新のＴＡＵ（Ｔｒａｃｋｉｎｇ  Ａｒｅａ  Ｕｐｄａｔｅ）プロセスを引き起こさない。しかし、ＵＥは、周期的な登録プロセスを引き起こしてもよい。ＵＥは、ＭＩＣＯモードに移行した後に、ネットワークページングの監視を行わない。
【０００４】
従来技術において、端末の登録更新を例とし、ＡＭＦから端末の位置変化情報またはＡＭＦの変化情報を、ＵＥのすべてのサービングＳＭＦ（Ｓｅｓｓｉｏｎ  Ｍａｎａｇｅｍｅｎｔ  Ｆｕｎｃｔｉｏｎ）に通知する必要があり、それによって、ＳＭＦによるＵＰＦ（Ｕｓｅｒ  Ｐａｎｅ  Ｆｕｎｃｔｉｏｎ）再選択またはダウンリンクページングメッセージの配信が可能になる。ＭＩＣＯモードの端末がネットワークページングの監視を行わないため、ＳＭＦに対しこれらの情報を更新することは、シグナリングの無駄遣いにつながる。
【発明の概要】
【発明が解決しようとする課題】
【０００５】
これに鑑み、本開示は、シグナリングオーバーヘッドを節約するための情報処理方法、装置、コンピュータ読み取り可能な記憶媒体および電子機器を提供する。
【課題を解決するための手段】
【０００６】
本開示の情報処理方法は、
ＵＥ（Ｕｓｅｒ  Ｅｑｕｉｐｍｅｎｔ）の登録更新要求を受信することと、
前記ＵＥがＭＩＣＯ（Ｍｏｂｉｌｅ  Ｏｒｉｇｉｎａｔｅｄ  ｃｏｎｎｅｃｔｉｏｎ  ｏｎｌｙ）モードに移行したか、またはＭＩＣＯモードから移行したかを特定することと、
前記ＵＥがＭＩＣＯモードから移行したと特定した場合、前記ＵＥがＭＩＣＯモードから移行しまたは到達可能であることを関連ＳＭＦ（Ｓｅｓｓｉｏｎ  Ｍａｎａｇｅｍｅｎｔ  Ｆｕｎｃｔｉｏｎ）に通知するための第１通知メッセージを前記関連ＳＭＦに送信することと、
前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信することとを含む。
【０００７】
ここで、前記関連ＳＭＦは、ＭＩＣＯ指示または端末の到達不可能指示が送信されたＳＭＦを含み、前記目標ＳＭＦは、ＭＩＣＯ指示または端末の到達不可能指示が送信されなかったＳＭＦを含む。
【０００８】
前記ＵＥのダウンリンクシグナリングまたはデータの到達のためにトリガーされる情報通知である通知またはダウンリンクページング要求を前記目標ＳＭＦから送信しなくなるよう、前記ＵＥがＭＩＣＯモードに移行したことを前記目標ＳＭＦに指示するためのＭＩＣＯ指示は、前記第２通知メッセージに付帯される。
【０００９】
ここで、前記方法は、前記目標ＳＭＦが存在するか否か、および、前記第２通知メッセージを前記目標ＳＭＦに送信するか否かを特定することをさらに含む。
【００１０】
ここで、前記第２通知メッセージを前記目標ＳＭＦに送信するか否かを特定することは、
前記ＵＥのサービングＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に変化が生じたかを特定することと、
前記ＵＥのサービングＡＭＦに変化が生じたと特定すると、現在のＵＥのサービングＡＭＦに変化が生じたことを目標ＳＭＦに通知することにも用いられる第２通知メッセージを前記目標ＳＭＦに送信すると特定することとを含む。
【００１１】
ここで、前記ＵＥからのアップリンクデータ送信が必要であることを示すＩＤは、前記登録更新要求に付帯され、前記方法は、前記ＵＥのデータプレーン伝送経路の回復を、前記ＵＥにデータ伝送サービスを提供するＳＭＦに通知することに用いられる第３通知メッセージを、前記ＵＥにデータ伝送サービスを提供するＳＭＦに送信することをさらに含む。
【００１２】
ここで、前記ＵＥがＭＩＣＯモードに移行したか、またはＭＩＣＯモードから移行したかを特定することは、
位置更新前のＡＭＦから前記ＵＥのコンテキスト情報を取得することと、
前記ＵＥのコンテキスト情報に基づいて、前記ＵＥがＭＩＣＯモードに移行したか、またはＭＩＣＯモードから移行したかを特定することとを含む。
【００１３】
第２の態様として、本開示の情報処理方法は、
ＵＥがＭＩＣＯモードに移行したかを特定することと、
前記ＵＥがＭＩＣＯモードに移行したと特定すると、前記ＵＥのダウンリンクシグナリングまたはデータの到達のためにトリガーされる情報通知である通知またはダウンリンクページング要求を送信しなくなるよう、前記ＵＥのサービングＳＭＦに指示することとを含む。
【００１４】
ここで、前記ＵＥがＭＩＣＯモードに移行したと特定すると、通知またはダウンリンクページング要求を送信しなくなるよう、前記ＵＥのサービングＳＭＦに指示することは、
前記ＵＥがＭＩＣＯモードに移行したと特定すると、前記ＵＥに対しＰＤＵ（Ｐｒｏｔｏｃｏｌ  Ｄａｔａ  Ｕｎｉｔ）セッションを確立するプロセスで、前記ＵＥのサービングＳＭＦを特定することと、
前記通知またはダウンリンクページング要求を前記ＳＭＦから送信しなくなるよう、前記ＵＥがＭＩＣＯモードに移行したことを前記ＳＭＦに指示することに用いられるＭＩＣＯ指示を、前記ＳＭＦに送信することとを含む。
【００１５】
ここで、前記ＵＥがＭＩＣＯモードに移行したと特定すると、通知またはダウンリンクページング要求を送信しなくなるよう、前記ＵＥのサービングＳＭＦに指示することは、
前記ＵＥがＭＩＣＯモードに移行したと特定すると、前記ＳＭＦから送信された前記通知またはダウンリンクページングを拒否し、前記通知またはダウンリンクページング要求を送信しなくなるよう前記ＳＭＦに指示することに用いられるＭＩＣＯ指示または端末の到達不可能指示を前記ＳＭＦに送信することを含む。
【００１６】
ここで、前記方法は、前記ＭＩＣＯ指示または前記端末の到達不可能指示が送信されたＳＭＦの情報を記憶することと、
前記ＵＥがＭＩＣＯモードから移行したと特定すると、前記情報に基づいて、前記ＵＥがＭＩＣＯモードから移行したことを示す通知を前記ＳＭＦに送信することとをさらに含む。
【００１７】
第３の態様として、本開示の情報処理方法は、
ＵＥのダウンリンクシグナリングまたはデータの到達のためにトリガーされる情報通知である通知またはダウンリンクページング要求の送信が必要となると、前記ＵＥがＭＩＣＯモードに移行したかを特定することと、
前記ＵＥがＭＩＣＯモードに移行したと特定すると、前記通知または前記ダウンリンクページング要求を前記ＵＥに送信しないことと、
前記ＵＥがＭＩＣＯモードに移行しなかったと特定すると、前記ＵＥの到達可能かを特定し、前記ＵＥの到達不可能を特定すると、前記通知メッセージまたは前記ダウンリンクページング要求を、前記ＵＥのサービングＡＭＦに送信しないこととを含む。
【００１８】
ここで、前記のＵＥがＭＩＣＯモードに移行したかを特定することは、
ＭＩＣＯ指示が記憶されたかを特定することと、
前記ＭＩＣＯ指示が記憶された場合、前記ＵＥがＭＩＣＯモードに移行したと特定し、逆の場合、前記ＵＥがＭＩＣＯモードに移行しなかったと特定することとを含む。
【００１９】
ここで、前記方法は、前記ＵＥの到達可能を特定すると、前記通知メッセージまたは前記ダウンリンクページング要求を、前記ＵＥのサービングＡＭＦに送信することをさらに含む。
【００２０】
第４の態様として、本開示の情報処理装置は、
ＵＥの登録更新要求を受信する受信モジュールと、
前記ＵＥがＭＩＣＯモードに移行したか、またはＭＩＣＯモードから移行したかを特定する第１特定モジュールと、
前記ＵＥがＭＩＣＯモードから移行したと特定した場合、前記ＵＥがＭＩＣＯモードから移行しまたは到達可能であることを関連ＳＭＦに通知するための第１通知メッセージを前記関連ＳＭＦに送信する第１処理モジュールと、
前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信する第２処理モジュールとを含む。
【００２１】
ここで、前記関連ＳＭＦは、ＭＩＣＯ指示または端末の到達不可能指示が送信されたＳＭＦを含み、前記目標ＳＭＦは、ＭＩＣＯ指示または端末の到達不可能指示が送信されなかったＳＭＦを含む。
【００２２】
ここで、前記ＵＥのダウンリンクシグナリングまたはデータの到達のためにトリガーされる情報通知である通知またはダウンリンクページング要求を前記目標ＳＭＦから送信しなくなるよう、前記ＵＥがＭＩＣＯモードに移行したことを前記目標ＳＭＦに指示することに用いられるＭＩＣＯ指示は、前記第２通知メッセージに付帯される。
【００２３】
ここで、前記装置は、前記目標ＳＭＦが存在するか否か、および、前記第２通知メッセージを前記目標ＳＭＦに送信するか否かを特定する判断モジュールをさらに含む。
【００２４】
ここで、前記装置は、前記目標ＳＭＦが存在せず、または、前記第２通知メッセージを前記目標ＳＭＦに送信する必要がないと特定した場合、直接前記ＵＥの登録更新プロセスを完成させる第３処理モジュールをさらに含む。
【００２５】
ここで、前記判断モジュールは、
前記ＵＥのサービングＡＭＦに変化が生じたかを特定する第１判断サブモジュールと、
前記ＵＥのサービングＡＭＦに変化が生じたと特定すると、現在のＵＥのサービングＡＭＦに変化が生じたことを目標ＳＭＦに通知することにも用いられる第２通知メッセージを前記目標ＳＭＦに送信すると特定する第２判断サブモジュールとを含む。
【００２６】
ここで、前記ＵＥからのアップリンクデータ送信が必要であることを示すＩＤは、前記登録更新要求に付帯され、前記装置は、前記ＵＥのデータプレーン伝送経路の回復を、前記ＵＥにデータ伝送サービスを提供するＳＭＦに通知することに用いられる第３通知メッセージを、前記ＵＥにデータ伝送サービスを提供するＳＭＦに送信する第１送信モジュールをさらに含む。
【００２７】
ここで、前記第１特定モジュールは、
位置更新前のＡＭＦから前記ＵＥのコンテキスト情報を取得する取得サブモジュールと、
前記ＵＥのコンテキスト情報に基づいて、前記ＵＥがＭＩＣＯモードに移行したか、またはＭＩＣＯモードから移行したかを特定する特定サブモジュールとを含む。
【００２８】
第５の態様として、本開示の情報処理装置は、
ＵＥがＭＩＣＯモードに移行したかを特定する特定モジュールと、
前記ＵＥがＭＩＣＯモードに移行したと特定すると、前記ＵＥのダウンリンクシグナリングまたはデータの到達のためにトリガーされる情報通知である通知またはダウンリンクページング要求を送信しなくなるよう、前記ＵＥのサービングＳＭＦに指示する指示モジュールとを含む。
【００２９】
ここで、前記指示モジュールは、
前記ＵＥがＭＩＣＯモードに移行したと特定すると、前記ＵＥに対しＰＤＵセッションを確立するプロセスで、前記ＵＥのサービングＳＭＦを特定する第１特定サブモジュールと、
前記通知またはダウンリンクページング要求を前記ＳＭＦから送信しなくなるよう、前記ＵＥがＭＩＣＯモードに移行したことを前記ＳＭＦに指示することに用いられるＭＩＣＯ指示を、前記ＳＭＦに送信する送信サブモジュールとを含む。
【００３０】
ここで、前記指示モジュールは、具体的に、
前記ＵＥがＭＩＣＯモードに移行したと特定すると、前記ＳＭＦから送信された前記通知またはダウンリンクページングを拒否し、前記通知またはダウンリンクページング要求を送信しなくなるよう前記ＳＭＦに指示することに用いられるＭＩＣＯ指示または端末の到達不可能指示を前記ＳＭＦに送信する。
【００３１】
ここで、前記装置は、前記ＭＩＣＯ指示または前記端末の到達不可能指示が送信されたＳＭＦの情報を記憶する記憶モジュールと、前記ＵＥがＭＩＣＯモードから移行したと特定すると、前記情報に基づいて、前記ＵＥがＭＩＣＯモードから移行したことを示す通知を前記ＳＭＦに送信する送信モジュールとをさらに含む。
【００３２】
第６の態様として、本開示の情報処理装置は、
ＵＥのダウンリンクシグナリングまたはデータの到達のためにトリガーされる情報通知である通知またはダウンリンクページング要求の送信が必要となると、前記ＵＥがＭＩＣＯモードに移行したかを特定する特定モジュールと、
前記ＵＥがＭＩＣＯモードに移行したと特定すると、前記通知または前記ダウンリンクページング要求を前記ＵＥに送信しない第１処理モジュールと、
前記ＵＥがＭＩＣＯモードに移行しなかったと特定すると、前記ＵＥの到達可能かを特定し、前記ＵＥの到達不可能を特定すると、前記通知メッセージまたは前記ダウンリンクページング要求を、前記ＵＥのサービングＡＭＦに送信しない第２処理モジュールとを含む。
【００３３】
ここで、前記特定モジュールは、
ＭＩＣＯ指示が記憶されたかを特定する情報特定サブモジュールと、
前記ＭＩＣＯ指示が記憶された場合、前記ＵＥがＭＩＣＯモードに移行したと特定し、逆の場合、前記ＵＥがＭＩＣＯモードに移行しなかったと特定する第１特定サブモジュールとを含む。
【００３４】
ここで、前記装置は、前記ＵＥの到達可能を特定すると、前記通知メッセージまたは前記ダウンリンクページング要求を、前記ＵＥのサービングＡＭＦに送信する送信モジュールをさらに含む。
【００３５】
第７の態様として、本開示は、コンピュータプログラムが記憶されているコンピュータ読み取り可能な記憶媒体を提供し、前記コンピュータプログラムがプロセッサによって実行されると、上記のいずれか一つの態様に記載の情報処理方法が実現される。
【００３６】
第８の態様として、本開示は、ハウジングと、プロセッサと、メモリと、回路板と、電源回路を含む電子機器を提供する。回路板は、ハウジングで囲まれた空間の内部に設けられる。プロセッサとメモリは、回路板に設けられる。電源回路は、上記電子機器の各回路または素子に給電する。メモリは、実行可能なプログラムコードを記憶する。プロセッサは、メモリに記憶されている実行可能なプログラムコードを読み取ることによって、実行可能なプログラムコードに対応するプログラムを実行し、上記のいずれか一つの態様に記載の情報処理方法を実行する。
【発明の効果】
【００３７】
本開示の実施例において、ＵＥがＭＩＣＯモードに移行しまたはＭＩＣＯモードから移行したと特定する際にＵＥの状態をＳＭＦに通知することによって、ＳＭＦとＡＭＦとの間の余分のやり取りが避けられ、シグナリングオーバーヘッドが節約される。
【図面の簡単な説明】
【００３８】
【図１】図１は、本開示の実施例１における情報処理方法のフローチャートである。
【図２】図２は、本開示の実施例２における情報処理方法のフローチャートである。
【図３】図３は、本開示の実施例３における情報処理方法のフローチャートである。
【図４】図４は、本開示の実施例４における情報処理方法のフローチャートである。
【図５】図５は、本開示の実施例５における情報処理方法のフローチャートである。
【図６】図６は、本開示の実施例６における情報処理方法のフローチャートである。
【図７】図７は、本開示の実施例７における情報処理方法のフローチャートである。
【図８】図８は、本開示の実施例８における情報処理方法のフローチャートである。
【図９】図９は、本開示の実施例９における情報処理装置の概略図である。
【図１０】図１０は、本開示の実施例９における情報処理装置の構造図である。
【図１１】図１１は、本開示の実施例１０における情報処理装置の概略図である。
【図１２】図１２は、本開示の実施例１０における情報処理装置の第１構造図である。
【図１３】図１３は、本開示の実施例１０における情報処理装置の第２構造図である。
【図１４】図１４は、本開示の実施例１１における情報処理装置の概略図である。
【図１５】図１５は、本開示の実施例１１における情報処理装置の構造図である。
【図１６】図１６は、本開示の実施例１３における電子機器の概略図である。
【発明を実施するための形態】
【００３９】
以下、添付図面および実施例を通じて本開示の具体的な実施形態をさらに詳細に記載する。以下の実施例は、本開示を説明することに用いられるが、本開示の範囲を制限するためのものではない。
実施例１
【００４０】
図１に示すように、本開示の実施例１の情報処理方法は、ＡＭＦに応用され、以下のステップを含む。
【００４１】
ステップ１０１において、ＵＥがＭＩＣＯモードに移行したかを特定する。
【００４２】
実際の応用において、ＵＥは、登録または登録更新プロセスにおいて、ＭＩＣＯモードの活性化が望まれることをネットワークに指示することができる。すると、ネットワークのＡＭＦは、ローカルの設定、契約、ポリシーなどの情報に基づいて、ＵＥに対しＭＩＣＯモードを活性化するかを決定する。ＭＩＣＯモードを活性化すると特定すると、ＡＭＦは、ＵＥに対しＭＩＣＯモードに移行するよう指示する。
【００４３】
ステップ１０２において、前記ＵＥがＭＩＣＯモードに移行したと特定した場合、通知またはダウンリンクページング要求を送信しなくなるよう、前記ＵＥのサービングＳＭＦに指示する。ここで、前記通知は、前記ＵＥのダウンリンクシグナリングまたはデータの到達のためにトリガーされる情報通知である。
【００４４】
本開示の実施例において、上記通知またはダウンリンクページング要求を送信しなくなるよう、前記ＵＥのサービングＳＭＦに指示することは、ＵＥに対しＰＤＵ（Ｐｒｏｔｏｃｏｌ  Ｄａｔａ  Ｕｎｉｔ）セッションを確立するプロセスで行われてもよく、ＳＭＦからダウンリンクページング要求を引き起こしたプロセスで行われてもよい。
【００４５】
たとえば、前記ＵＥがＭＩＣＯモードに移行したと特定した場合、ＡＭＦは、前記ＵＥとＰＤＵセッションを確立するプロセスで、前記ＵＥのサービングＳＭＦを特定し、ＭＩＣＯ指示を前記ＳＭＦに送信する。前記ＭＩＣＯ指示は、前記通知またはダウンリンクページング要求を前記ＳＭＦから送信しなくなるよう、前記ＵＥがＭＩＣＯモードに移行したことを前記ＳＭＦに指示する。
【００４６】
本開示の実施例において、ＵＥがＭＩＣＯモードに移行したと特定する際にＵＥの状態をＳＭＦに通知することによって、ＳＭＦとＡＭＦとの間の余分のやり取りが避けられ、シグナリングオーバーヘッドが節約される。
実施例２
【００４７】
図２に示すように、本開示の実施例２の情報処理方法は、ＡＭＦに応用され、以下のステップを含む。
【００４８】
ステップ２０１において、ＵＥの登録更新要求を受信する。
【００４９】
ステップ２０２において、前記ＵＥがＭＩＣＯモードに移行したか、またはＭＩＣＯモードから移行したかを特定する。
【００５０】
実際の応用において、ＵＥは、登録または登録更新プロセスにおいて、ＭＩＣＯモードの活性化が望まれることをネットワークに指示することができる。すると、ネットワークのＡＭＦは、ローカルの設定、契約、ポリシーなどの情報に基づいて、ＵＥに対しＭＩＣＯモードを活性化するかを決定する。ＭＩＣＯモードを活性化すると特定すると、ＡＭＦは、ＵＥに対しＭＩＣＯモードに移行するよう指示する。ＵＥがＭＩＣＯモードから移行した場合、ＡＭＦは、同様に、ＵＥがＭＩＣＯモードから移行したことが分かる。
【００５１】
ステップ２０３において、前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信する。
【００５２】
前記目標ＳＭＦは、ＭＩＣＯ指示または端末の到達不可能指示が送信されなかったＳＭＦを含む。
【００５３】
具体的に、前記ＵＥがＭＩＣＯモードに移行したと特定した場合、前記ＵＥのサービングＳＭＦのうち、ＭＩＣＯ指示または端末の到達不可能指示が送信されなかった目標ＳＭＦが存在するかを特定する。実際の応用において、ＡＭＦからＭＩＣＯ指示または端末の到達不可能指示が送信されたＳＭＦが記録されているレコードは、ＡＭＦに記憶される。よって、当該レコードを問い合わせることによって、ＡＭＦは、ＵＥのサービングＳＭＦのうち、目標ＳＭＦが存在するかを特定することができる。
【００５４】
前記目標ＳＭＦが存在しかつ第２通知メッセージを前記目標ＳＭＦに送信する必要があるのであれば、前記ＵＥがＭＩＣＯモードに移行したことを前記目標ＳＭＦに指示するための第２通知メッセージを前記目標ＳＭＦに送信する。
【００５５】
ここで、前記ＵＥのダウンリンクシグナリングまたはデータの到達のためにトリガーされる情報通知である通知またはダウンリンクページング要求を前記目標ＳＭＦから送信しなくなるよう、前記ＵＥがＭＩＣＯモードに移行したことを前記目標ＳＭＦに指示するためのＭＩＣＯ指示は、前記第２通知メッセージに付帯される。
【００５６】
このステップにおいて、通信の信頼性をさらに保証するために、通知メッセージを前記目標ＳＭＦに送信する前に、通知メッセージを前記目標ＳＭＦに送信する必要があるかを特定する。たとえば、ＵＥのサービングＡＭＦに変化が生じたかを特定し、変化が生じていれば、現在のＵＥのサービングＡＭＦに変化が生じたことを目標ＳＭＦに通知することに用いられる通知メッセージを前記目標ＳＭＦに送信すると特定する。同時に、当該通知メッセージにはＭＩＣＯ指示が付帯される。
【００５７】
ステップ２０４において、前記ＵＥがＭＩＣＯモードから移行したと特定した場合、前記ＵＥがＭＩＣＯモードから移行しまたは到達可能であることを関連ＳＭＦに通知するための第１通知メッセージを前記関連ＳＭＦに送信する。
【００５８】
ここで、前記関連ＳＭＦは、ＭＩＣＯ指示または端末の到達不可能指示が送信されたＳＭＦを含む。前記第１通知メッセージは、通知またはダウンリンクページング要求の送信を前記関連ＳＭＦに通知することに用いられる。ここで前記通知は、前記ＵＥのダウンリンクシグナリングまたはデータの到達のためにトリガーされる情報通知である。
【００５９】
上記プロセスにおいて、前記ＳＭＦが存在せず、または、通知メッセージを前記目標ＳＭＦに送信する必要がない場合、直接前記ＵＥの登録更新プロセスを完成させる。
【００６０】
従来技術の開示によれば、端末の登録更新時に、ＡＭＦは、端末の位置変化情報またはＡＭＦの変化情報をＵＥのサービングＳＭＦに通知する必要があり、それによって、ＳＭＦによるＵＰＦ（ユーザプレーン機能）再選択またはダウンリンクページングメッセージの配信が可能になる。すると、本開示の実施例において、ＡＭＦに変化が生じれば、新規ＡＭＦは、ＡＭＦに変化があったことを示す情報を目標ＳＭＦに送信する。
【００６１】
本開示の実施例において、ＵＥがＭＩＣＯモードに移行したと特定する際にＵＥの状態をＳＭＦに通知することによって、ＳＭＦとＡＭＦとの間の余分のやり取りが避けられ、シグナリングオーバーヘッドが節約される。
実施例３
【００６２】
図３に示すように、本開示の実施例３の情報処理方法は、ＳＭＦに応用され、以下のステップを含む。
【００６３】
ステップ３０１において、ＵＥのダウンリンクシグナリングまたはデータの到達のためにトリガーされる情報通知である通知またはダウンリンクページング要求の送信が必要となると、前記ＵＥがＭＩＣＯモードに移行したかを特定する。
【００６４】
このステップにおいて、ＭＩＣＯ指示が記憶されたかを特定する。前記ＭＩＣＯ指示が記憶された場合、前記ＵＥがＭＩＣＯモードに移行したと特定するが、逆の場合、前記ＵＥがＭＩＣＯモードに移行しなかったと特定する。
【００６５】
ステップ３０２において、前記ＵＥがＭＩＣＯモードに移行したと特定すると、前記通知または前記ダウンリンクページング要求を前記ＵＥに送信しない。
【００６６】
ステップ３０３において、前記ＵＥがＭＩＣＯモードに移行しなかったと特定すると、前記ＵＥの到達可能かを特定し、前記ＵＥの到達不可能を特定すると、前記通知メッセージまたは前記ダウンリンクページング要求を前記ＵＥのサービングＡＭＦに送信しない。
【００６７】
具体的に、ＳＭＦは、Ｎ１１要求をＡＭＦに送信する。ＡＭＦは、前記ＵＥがＭＩＣＯモードに移行したと特定すると、前記ＳＭＦから送信された前記通知またはダウンリンクページングを拒否し、前記通知またはダウンリンクページング要求を送信しなくなるよう前記ＳＭＦに指示することに用いられるＭＩＣＯ指示または端末の到達不可能指示を前記ＳＭＦに送信する。すると、ＳＭＦは、対応の指示を受信した後に、前記通知メッセージまたは前記ダウンリンクページング要求を前記ＵＥのサービングＡＭＦに送信しない。
【００６８】
本開示の実施例において、ＵＥがＭＩＣＯモードに移行したと特定する際にＵＥの状態をＳＭＦに通知することによって、ＳＭＦとＡＭＦとの間の余分のやり取りが避けられ、シグナリングオーバーヘッドが節約される。
【００６９】
以下、本開示の実施例の情報処理方法の実現プロセスを、異なる応用シーンに応じて記載する。
実施例４
【００７０】
本開示の実施例４において、ＵＥがＭＩＣＯモードに移行することをＰＤＵ  ｓｅｓｓｉｏｎ（ＰＤＵセッション）確立プロセスでＳＭＦに指示することを例とする。
【００７１】
図４に示すように、本開示の実施例４の情報処理方法は、以下のステップを含む。
【００７２】
ステップ４０１において、ＡＭＦは、ＵＥがＭＩＣＯモードに移行するかを特定する。
【００７３】
具体的に、ＡＭＦは、ローカルの設定、契約、ポリシーなどの情報に基づいて、ＵＥに対しＭＩＣＯモードを活性化するかを決定する。ＭＩＣＯモードを活性化すると特定すると、ＡＭＦは、ＵＥに対しＭＩＣＯモードに移行するよう指示する。ここで、ＡＭＦは、ＵＥがＭＩＣＯモードに移行すると特定する。
【００７４】
ステップ４０２において、ＵＥは、ＰＤＵ  ｓｅｓｓｉｏｎ  ｅｓｔａｂｌｉｓｈｍｅｎｔ  Ｒｅｑｕｅｓｔ（ＰＤＵセッション確立要求）メッセージをＡＭＦに送信する。
【００７５】
ステップ４０３において、ＡＭＦは、ＵＥから送信されたＰＤＵ  ｓｅｓｓｉｏｎ  ｅｓｔａｂｌｉｓｈｍｅｎｔ  Ｒｅｑｕｅｓｔメッセージを受信してＳＭＦ選択を実行する。
【００７６】
ステップ４０４において、ＡＭＦは、前記ＰＤＵ  ｓｅｓｓｉｏｎ  ｅｓｔａｂｌｉｓｈｍｅｎｔ  ＲｅｑｕｅｓｔメッセージをＮ１１インタフェースのメッセージでＳＭＦに転送する。ここで、前記Ｎ１１メッセージにＭＩＣＯ指示を付帯する。前記ＭＩＣＯ指示は、通知またはダウンリンクページング要求を前記ＳＭＦから送信するよう、前記ＵＥがＭＩＣＯモードに移行したことを前記ＳＭＦに指示する。ここで前記通知は、前記ＵＥのダウンリンクシグナリングまたはデータの到達に対する通知である。
【００７７】
ＳＭＦは、Ｎ１１メッセージを受信すると、その中のＭＩＣＯ指示を保存し、後続のＰＤＵ  ｓｅｓｓｉｏｎの確立を完成させる。
【００７８】
ＳＭＦは、保存されたＭＩＣＯ指示に基づいて、当該ＵＥに対するダウンリンクページングプロセスを引き起こさない。
実施例５
【００７９】
実施例５において、ＭＩＣＯ  ＵＥの登録更新プロセス（アップリンクデータ送信無し）を例とする。
【００８０】
図５に示すように、本開示の実施例５の情報処理方法は、以下のステップを含む。
【００８１】
ステップ５０１において、ＵＥは、ｒｅｇｉｓｔｒａｔｉｏｎ  ｕｐｄａｔｅ（登録更新）要求をＡＭＦに送信する。
【００８２】
ステップ５０２において、当該ｒｅｇｉｓｔｒａｔｉｏｎ  ｕｐｄａｔｅプロセスにおいて、ＡＭＦに変化が生じる（たとえばｒｅｌｏｃａｔｉｏｎ）と、新規のＡＭＦは、元のＡＭＦからＵＥのコンテキスト情報を取得する。
【００８３】
具体的に、新規のＡＭＦは、情報要求（ｉｎｆｏｒｍａｔｉｏｎ  ｒｅｑｕｅｓｔ）メッセージを元のＡＭＦに送信してＵＥのコンテキスト情報の取得を要求する。元のＡＭＦは、ＵＥのコンテキスト情報を情報応答（ｉｎｆｏｒｍａｔｉｏｎ  ｒｅｓｐｏｎｓｅ）メッセージによって新規のＡＭＦに送信する。
【００８４】
ステップ５０３において、新規のＡＭＦは、ＵＥのコンテキストに基づいて、ＵＥがＭＩＣＯモードに移行したかを特定する。
【００８５】
ステップ５０４において、ＵＥがＭＩＣＯモードに移行したと特定した場合、前記ＵＥのサービングＳＭＦのうち、ＭＩＣＯ指示または端末の到達不可能指示が送信されなかった目標ＳＭＦが存在するかを特定する。
【００８６】
ステップ５０５において、前記目標ＳＭＦが存在すれば、通知メッセージを前記目標ＳＭＦに送信する必要があると特定すると、ＭＩＣＯ指示を付帯した通知メッセージを前記目標ＳＭＦに送信する。前記ＭＩＣＯ指示は、前記ＵＥのダウンリンクシグナリングまたはデータの到達に対する通知またはダウンリンクページング要求を前記目標ＳＭＦから送信しなくなるよう、前記ＵＥがＭＩＣＯモードに移行したことを前記目標ＳＭＦに指示する。
【００８７】
その後、登録更新プロセスを完成させる。
【００８８】
シグナリングオーバーヘッドの節約をさらに保証するために、通知メッセージを前記目標ＳＭＦに送信する前に、通知メッセージを前記目標ＳＭＦに送信するかを特定する。具体的に、通知メッセージを前記目標ＳＭＦに送信するかを特定するプロセスにおいて、前記ＵＥのサービングＡＭＦに変化が生じたと特定すると、現在のＵＥのサービングＡＭＦに変化が生じたことを目標ＳＭＦに通知するための前記通知メッセージを前記目標ＳＭＦに送信すると特定する。通知メッセージの送信が必要でないと特定すると、ステップ５０６を実行する。
【００８９】
ステップ５０６において、前記目標ＳＭＦが存在せず、または、通知メッセージを前記目標ＳＭＦに送信する必要がないのであれば、直接前記ＵＥの登録更新プロセスを完成させる。
【００９０】
具体的に、新規のＡＭＦは、ｒｅｇｉｓｔｒａｔｉｏｎ  Ａｃｃｅｐｔメッセージを送信して登録更新を完成させる。
【００９１】
また、前記ＵＥがＭＩＣＯモードに移行しなかったと特定すると、ＡＭＦ変化通知メッセージを前記ＵＥのサービングＡＭＦに送信する。
【００９２】
前記登録更新プロセスにおいて、前記ＵＥがＭＩＣＯモードから移行したと特定すると、前記ＵＥがＭＩＣＯモードから移行したことを関連ＳＭＦに通知するための通知を前記関連ＳＭＦに送信する。前記関連ＳＭＦは、ＭＩＣＯ指示または端末の到達不可能指示が送信されたＳＭＦを含み、たとえば、前記ＵＥのサービングＳＭＦだったり、前記通知を購読したＳＭＦだったり、ページング要求を送信したが拒否されたＳＭＦだったりする。
【００９３】
前記登録更新プロセスにおいて、アップリンクデータの送信が必要であれば、ＵＥは、前記ＵＥからのアップリンクデータ送信が必要であることを示すＩＤを、前記登録更新要求に付帯する。すると、ＵＥは、前記ＵＥからのアップリンクデータ送信が必要であることを示すＩＤを、ｒｅｇｉｓｔｒａｔｉｏｎ  ｕｐｄａｔｅ要求に付帯する。ここで、当該ＩＤは、ａｃｔｉｖｅ  ｆｌａｇまたはＰＤＵ  ｓｅｓｓｉｏｎ  ＩＤである。この場合、ＡＭＦは、前記ＵＥのデータプレーン伝送経路の回復を、前記ＵＥにデータ伝送サービスを提供するＳＭＦに通知することに用いられる通知メッセージを、前記ＵＥにデータ伝送サービスを提供するＳＭＦに送信する。
実施例６
【００９４】
実施例６において、ＭＩＣＯ  ＵＥの登録更新プロセス（アップリンクデータ送信あり）を例とする。
【００９５】
図６に示すように、本開示の実施例６の情報処理方法は、以下のステップを含む。
【００９６】
ステップ６０１において、ＵＥは、アップリンクデータ送信ありのｒｅｇｉｓｔｒａｔｉｏｎ  ｕｐｄａｔｅ（登録更新）要求をＡＭＦに送信する。すると、ＵＥは、前記ＵＥからのアップリンクデータ送信が必要であることを示すＩＤを、ｒｅｇｉｓｔｒａｔｉｏｎ  ｕｐｄａｔｅ要求に付帯する。ここで、当該ＩＤは、ａｃｔｉｖｅ  ｆｌａｇまたはＰＤＵ  ｓｅｓｓｉｏｎ  ＩＤである。
【００９７】
当該ＩＤに基づいて、登録更新プロセスにおいてＡＭＦに変化が生じたか否かにかかわらず、ＡＭＦは、前記ＵＥのデータプレーン伝送経路の回復を、前記ＵＥにデータ伝送サービスを提供するＳＭＦに通知することに用いられる通知メッセージを、前記ＵＥにデータ伝送サービスを提供するＳＭＦに送信する必要がある。
【００９８】
ステップ６０２において、当該ｒｅｇｉｓｔｒａｔｉｏｎ  ｕｐｄａｔｅプロセスにおいてＡＭＦに変化が生じる（たとえばｒｅｌｏｃａｔｉｏｎ）と、新規のＡＭＦは、元のＡＭＦからＵＥのコンテキスト情報を取得する。
【００９９】
具体的に、新規のＡＭＦは、情報要求（ｉｎｆｏｒｍａｔｉｏｎ  ｒｅｑｕｅｓｔ）メッセージを元のＡＭＦに送信してＵＥのコンテキスト情報の取得を要求する。元のＡＭＦは、ＵＥのコンテキスト情報を情報応答（ｉｎｆｏｒｍａｔｉｏｎ  ｒｅｓｐｏｎｓｅ）メッセージによって新規のＡＭＦに送信する。
【０１００】
ステップ６０３において、新規のＡＭＦは、ＵＥのコンテキストに基づいて、ＵＥがＭＩＣＯモードに移行したかを特定する。
【０１０１】
ステップ６０４において、ＵＥがＭＩＣＯモードに移行したと特定した場合、前記ＵＥのデータプレーン伝送経路の回復を、前記ＵＥにデータ伝送サービスを提供するＳＭＦに通知することに用いられる通知メッセージを、前記ＵＥにデータ伝送サービスを提供するＳＭＦに送信する。
【０１０２】
ステップ６０５において、関連ＳＭＦは、当該端末のデータプレーン経路確立プロセスを完成させ、エアインタフェースベアラ確立をトリガーする。
【０１０３】
ステップ６０６において、新規のＡＭＦは、ｒｅｇｉｓｔｒａｔｉｏｎ  Ａｃｃｅｐｔメッセージを送信して登録更新を完成させる。
実施例７
【０１０４】
実施例７において、ＵＥがＭＩＣＯモードから移行するときの登録更新プロセスを例とする。
【０１０５】
図７に示すように、本開示の実施例７の情報処理方法は、以下のステップを含む。
【０１０６】
ステップ７０１において、ＵＥは、ｒｅｇｉｓｔｒａｔｉｏｎ  ｕｐｄａｔｅ（登録更新）要求をＡＭＦに送信する。
【０１０７】
ステップ７０２において、ＡＭＦは、ＵＥがＭＩＣＯモードから移行したと特定する。
【０１０８】
たとえば、ＵＥの要求に応じて、ＡＭＦは、ＵＥがＭＩＣＯモードから移行したと特定するが、この場合、当該ＵＥがＭＩＣＯモードから移行したことをＳＭＦに通知する必要がある。
【０１０９】
ステップ７０３において、ＡＭＦは、前記ＵＥがＭＩＣＯモードから移行したことを前記関連ＳＭＦに通知するための通知を関連ＳＭＦに送信する。
【０１１０】
具体的に、ＡＭＦは、Ｎ１１メッセージを関連ＳＭＦに送信する。当該Ｎ１１メッセージには、前記ＵＥがＭＩＣＯモードから移行したことを前記関連ＳＭＦに通知するための通知が付帯される。
【０１１１】
ここで、前記関連ＳＭＦは、ＭＩＣＯ指示または端末の到達不可能指示が送信されたＳＭＦを含む。たとえば、前記ＵＥのサービングＳＭＦだったり、前記通知を購読したＳＭＦだったり、ページング要求を送信したが拒否されたＳＭＦだったりする。
【０１１２】
ステップ７０４において、通知を受信したＳＭＦは、当該通知から、ＵＥがＭＩＣＯモードから移行したと特定し、またはＵＥがページング可能に変更したと特定する。よって、ＳＭＦは、後にＡＭＦのページングを引き起こす。
【０１１３】
ＳＭＦは、Ｎ１１応答メッセージをＡＭＦに送信する。
【０１１４】
ステップ７０５において、ＡＭＦは、ｒｅｇｉｓｔｒａｔｉｏｎ  Ａｃｃｅｐｔメッセージを送信して登録更新を完成させる。
実施例８
【０１１５】
実施例８において、ＳＭＦがＡＭＦに拒否されるダウンリンクページング拒否プロセスを例とする。
【０１１６】
図８に示すように、本開示の実施例８の情報処理方法は、以下のステップを含む。
【０１１７】
ステップ８０１において、ＳＭＦは、ダウンリンクシグナリングまたはデータに基づいて、ダウンリンクページング要求の送信が必要であると特定する。
【０１１８】
ステップ８０２において、ＳＭＦは、ＵＥがＭＩＣＯモードに移行したかを特定する。
【０１１９】
具体的に、ＳＭＦは、ＭＩＣＯ指示が記憶されたかを特定する。前記ＭＩＣＯ指示が記憶された場合、前記ＵＥがＭＩＣＯモードに移行したと特定するが、逆の場合、前記ＵＥがＭＩＣＯモードに移行しなかったと特定する。
【０１２０】
ステップ８０３において、前記ＵＥがＭＩＣＯモードに移行したと特定すると、前記ＵＥのダウンリンクシグナリングまたはデータの到達に対する通知または前記ダウンリンクページング要求を前記ＵＥに送信しない。
【０１２１】
ステップ８０４において、前記ＵＥがＭＩＣＯモードに移行しなかったと特定すると、前記ＵＥの到達可能かを特定し、前記ＵＥの到達不可能を特定すると、前記通知メッセージまたは前記ダウンリンクページング要求を前記ＵＥのサービングＡＭＦに送信しない。
【０１２２】
具体的に、ＳＭＦは、Ｎ１１要求をＡＭＦに送信する。ＡＭＦは、前記ＵＥがＭＩＣＯモードに移行したと特定すると、前記ＳＭＦから送信された前記通知またはダウンリンクページングを拒否し、前記通知またはダウンリンクページング要求を送信しなくなるよう前記ＳＭＦに指示することに用いられるＭＩＣＯ指示または端末の到達不可能指示を前記ＳＭＦに送信する。
【０１２３】
同時に、前記ＭＩＣＯ指示または前記端末の到達不可能指示が送信されたＳＭＦの情報も記憶されたＡＭＦは、前記ＵＥがＭＩＣＯモードから移行したと特定すると、前記情報に基づいて、前記ＵＥがＭＩＣＯモードから移行したことを示すための通知を前記ＳＭＦに送信する。
【０１２４】
前記ＵＥの到達可能を特定すると、前記通知メッセージまたは前記ダウンリンクページング要求を、前記ＵＥのサービングＡＭＦに送信する。
【０１２５】
以上の実施例４〜８において、ＵＥがＭＩＣＯモードに移行したと特定する際に、前記ＵＥに対するダウンリンクページング、または、ダウンリンクシグナリングまたはデータの到達通知を送信しなくなるよう、ＵＥのサービングＳＭＦに指示することによって、ＳＭＦとＡＭＦとの間の余分のやり取りが避けられ、シグナリングオーバーヘッドが節約される。
実施例９
【０１２６】
図９に示すように、本開示の実施例９の情報処理装置は、ＵＥがＭＩＣＯモードに移行したかを特定する特定モジュール９０１と、前記ＵＥがＭＩＣＯモードに移行したと特定すると、前記ＵＥのダウンリンクシグナリングまたはデータの到達のためにトリガーされる情報通知である通知またはダウンリンクページング要求を送信しなくなるよう、前記ＵＥのサービングＳＭＦに指示する指示モジュール９０２とを含む。
【０１２７】
具体的に、前記指示モジュール９０２は、前記ＵＥがＭＩＣＯモードに移行したと特定すると、前記ＵＥに対しＰＤＵセッションを確立するプロセスで、前記ＵＥのサービングＳＭＦを特定する第１特定サブモジュールと、前記通知またはダウンリンクページング要求を前記ＳＭＦから送信しなくなるよう、前記ＵＥがＭＩＣＯモードに移行したことを前記ＳＭＦに指示することに用いられるＭＩＣＯ指示を、前記ＳＭＦに送信する送信サブモジュールとを含む。
【０１２８】
具体的に、前記指示モジュール９０２は、具体的に、前記ＵＥがＭＩＣＯモードに移行したと特定すると、前記ＳＭＦから送信された前記通知またはダウンリンクページングを拒否し、前記通知またはダウンリンクページング要求を送信しなくなるよう前記ＳＭＦに指示することに用いられるＭＩＣＯ指示または端末の到達不可能指示を前記ＳＭＦに送信する。
【０１２９】
図１０に示すように、前記装置は、前記ＭＩＣＯ指示または前記端末の到達不可能指示が送信されたＳＭＦの情報を記憶する記憶モジュール９０３と、前記ＵＥがＭＩＣＯモードから移行したと特定すると、前記情報に基づいて、前記ＵＥがＭＩＣＯモードから移行したことを示す通知を前記ＳＭＦに送信する送信モジュールとをさらに含む。
【０１３０】
本開示に記載した装置の動作原理は、前記の方法実施例の記載を参照されたい。
【０１３１】
本開示の実施例において、ＵＥがＭＩＣＯモードに移行したと特定する際にＵＥの状態をＳＭＦに通知することによって、ＳＭＦとＡＭＦとの間の余分のやり取りが避けられ、シグナリングオーバーヘッドが節約される。
実施例１０
【０１３２】
図１１に示すように、本開示の実施例１０の情報処理装置は、ＵＥの登録更新要求を受信する受信モジュール１１０１と、前記ＵＥがＭＩＣＯモードに移行したか、またはＭＩＣＯモードから移行したかを特定する第１特定モジュール１１０２と、前記ＵＥがＭＩＣＯモードから移行したと特定した場合、前記ＵＥがＭＩＣＯモードから移行しまたは到達可能であることを関連ＳＭＦに通知するための第１通知メッセージを前記関連ＳＭＦに送信する第１処理モジュール１１０４と、前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信する第２処理モジュール１１０５とを含む。
【０１３３】
ここで、前記関連ＳＭＦは、ＭＩＣＯ指示または端末の到達不可能指示が送信されたＳＭＦを含み、前記目標ＳＭＦは、ＭＩＣＯ指示または端末の到達不可能指示が送信されなかったＳＭＦを含む。
【０１３４】
前記ＵＥのダウンリンクシグナリングまたはデータの到達のためにトリガーされる情報通知である通知またはダウンリンクページング要求を前記目標ＳＭＦから送信しなくなるよう、前記ＵＥがＭＩＣＯモードに移行したことを前記目標ＳＭＦに指示することに用いられるＭＩＣＯ指示は、前記第２通知メッセージに付帯される。
【０１３５】
図１２に示すように、通信の信頼性をさらに保証するために、前記装置は、前記目標ＳＭＦが存在するか否か、および、前記第２通知メッセージを前記目標ＳＭＦに送信するか否かを特定する判断モジュール１１０６をさらに含む。また、図１２に示すように、前記装置は、前記目標ＳＭＦが存在せず、または、前記第２通知メッセージを前記目標ＳＭＦに送信する必要がないと特定した場合、直接前記ＵＥの登録更新プロセスを完成させる第３処理モジュール１１０７をさらに含む。
【０１３６】
ここで、前記判断モジュール１１０６は、前記ＵＥのサービングＡＭＦに変化が生じたかを特定する第１判断サブモジュールと、前記ＵＥのサービングＡＭＦに変化が生じたと特定すると、現在のＵＥのサービングＡＭＦに変化が生じたことを目標ＳＭＦに通知することにも用いられる第２通知メッセージを前記目標ＳＭＦに送信すると特定する第２判断サブモジュールとを含む。
【０１３７】
実際の応用において、前記ＵＥからのアップリンクデータ送信が必要であることを示すＩＤは、前記登録更新要求に付帯される。図１３に示すように、前記装置は、前記ＵＥのデータプレーン伝送経路の回復を、前記ＵＥにデータ伝送サービスを提供するＳＭＦに通知することに用いられる第３通知メッセージを、前記ＵＥにデータ伝送サービスを提供するＳＭＦに送信する第１送信モジュール１１０８をさらに含む。
【０１３８】
ここで、前記第１特定モジュール１１０２は、位置更新前のＡＭＦから前記ＵＥのコンテキスト情報を取得する取得サブモジュールと、前記ＵＥのコンテキスト情報に基づいて、前記ＵＥがＭＩＣＯモードに移行したか、またはＭＩＣＯモードから移行したかを特定する特定サブモジュールとを含む。
【０１３９】
本開示に記載した装置の動作原理は、前記の方法実施例の記載を参照されたい。
【０１４０】
本開示の実施例において、ＵＥがＭＩＣＯモードに移行したと特定する際にＵＥの状態をＳＭＦに通知することによって、ＳＭＦとＡＭＦとの間の余分のやり取りが避けられ、シグナリングオーバーヘッドが節約される。
実施例１１
【０１４１】
図１４に示すように、本開示の実施例１１の情報処理装置は、ＵＥのダウンリンクシグナリングまたはデータの到達のためにトリガーされる情報通知である通知またはダウンリンクページング要求の送信が必要となると、前記ＵＥがＭＩＣＯモードに移行したかを特定する特定モジュール１４０１と、前記ＵＥがＭＩＣＯモードに移行したと特定すると、前記通知または前記ダウンリンクページング要求を前記ＵＥに送信しない第１処理モジュール１４０２と、前記ＵＥがＭＩＣＯモードに移行しなかったと特定すると、前記ＵＥの到達可能かを特定し、前記ＵＥの到達不可能を特定すると、前記通知メッセージまたは前記ダウンリンクページング要求を、前記ＵＥのサービングＡＭＦに送信しない第２処理モジュール１４０３とを含む。
【０１４２】
ここで、前記特定モジュール１４０１は、ＭＩＣＯ指示が記憶されたかを特定する情報特定サブモジュールと、前記ＭＩＣＯ指示が記憶された場合、前記ＵＥがＭＩＣＯモードに移行したと特定し、逆の場合、前記ＵＥがＭＩＣＯモードに移行しなかったと特定する第１特定サブモジュールとを含む。
【０１４３】
図１５に示すように、前記装置は、前記ＵＥの到達可能を特定すると、前記通知メッセージまたは前記ダウンリンクページング要求を、前記ＵＥのサービングＡＭＦに送信する送信モジュール１４０４をさらに含む。
【０１４４】
本開示に記載した装置の動作原理は、前記の方法実施例の記載を参照されたい。
【０１４５】
本開示の実施例において、ＵＥがＭＩＣＯモードに移行したと特定する際にＵＥの状態をＳＭＦに通知することによって、ＳＭＦとＡＭＦとの間の余分のやり取りが避けられ、シグナリングオーバーヘッドが節約される。
【０１４６】
本開示の実施例１２は、コンピュータプログラムが記憶されているコンピュータ読み取り可能な記憶媒体を提供し、前記コンピュータプログラムがプロセッサによって実行されると、上記のいずれか一つの実施例に記載の情報処理方法が実現される。
実施例１３
【０１４７】
図１６に示すように、本開示の実施例１３は、電子機器を提供する。前記電子機器は、ハウジング１６０１と、プロセッサ１６０２と、メモリ１６０３と、回路板１６０４と、電源回路１６０５を含む。ここで、回路板１６０４は、ハウジング１６０１で囲まれた空間の内部に設けられる。プロセッサ１６０２とメモリ１６０３は、回路板１６０４に設けられる。電源回路１６０５は、上記電子機器の各回路または素子に給電する。メモリ２６０３は、実行可能なプログラムコードを記憶する。プロセッサ１６０２は、メモリ１６０３に記憶されている実行可能なプログラムコードを読み取ることによって、実行可能なプログラムコードに対応するプログラムを実行し、上記のいずれか一つの実施例に記載の情報処理方法を実行する。
【０１４８】
プロセッサ１６０２による上記ステップの具体的な実行プロセス、および、プロセッサ１６０２が実行可能なプログラムコードを実行することによってさらに実行するステップは、前記の方法実施例の記載を参照されたく、ここでは繰り返して記載しない。
【０１４９】
本開示の実施例１４は、プロセッサと、バスインタフェースを介して前記プロセッサに接続されるメモリを含むデータ処理装置を提供する。前記メモリは、前記プロセッサによる操作実行に用いられるプログラムおよびデータを記憶する。プロセッサは、前記メモリに記憶されているプログラムおよびデータを呼び出して実行すると、以下の機能的なモジュールまたはユニットを含む。特定モジュールは、ＵＥがＭＩＣＯモードに移行したかを特定する。指示モジュールは、前記ＵＥがＭＩＣＯモードに移行したと特定すると、前記ＵＥのダウンリンクシグナリングまたはデータの到達のためにトリガーされる情報通知である通知またはダウンリンクページング要求を送信しなくなるよう、前記ＵＥのサービングＳＭＦに指示する。
【０１５０】
本開示の実施例１５は、プロセッサと、バスインタフェースを介して前記プロセッサに接続されるメモリを含むデータ処理装置を提供する。前記メモリは、前記プロセッサによる操作実行に用いられるプログラムおよびデータを記憶する。プロセッサは、前記メモリに記憶されているプログラムおよびデータを呼び出して実行すると、以下の機能的なモジュールまたはユニットを含む。受信モジュールは、ＵＥの登録更新要求を受信する。第１特定モジュールは、前記ＵＥがＭＩＣＯモードに移行したか、またはＭＩＣＯモードから移行したかを特定する。第１処理モジュールは、前記ＵＥがＭＩＣＯモードから移行したと特定した場合、前記ＵＥがＭＩＣＯモードから移行しまたは到達可能であることを関連ＳＭＦに通知するための第１通知メッセージを前記関連ＳＭＦに送信する。第２処理モジュールは、前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信する。
【０１５１】
本開示の実施例１６は、プロセッサと、バスインタフェースを介して前記プロセッサに接続されるメモリを含むデータ処理装置を提供する。前記メモリは、前記プロセッサによる操作実行に用いられるプログラムおよびデータを記憶する。プロセッサは、前記メモリに記憶されているプログラムおよびデータを呼び出して実行すると、以下の機能的なモジュールまたはユニットを含む。特定モジュールは、ＵＥのダウンリンクシグナリングまたはデータの到達のためにトリガーされる情報通知である通知またはダウンリンクページング要求の送信が必要となると、前記ＵＥがＭＩＣＯモードに移行したかを特定する。第１処理モジュールは、前記ＵＥがＭＩＣＯモードに移行したと特定すると、前記通知または前記ダウンリンクページング要求を前記ＵＥに送信しない。第２処理モジュールは、前記記ＵＥがＭＩＣＯモードに移行しなかったと特定すると、前記ＵＥの到達可能かを特定し、前記ＵＥの到達不可能を特定すると、前記通知メッセージまたは前記ダウンリンクページング要求を、前記ＵＥのサービングＡＭＦに送信しない。
【０１５２】
なお、本開示の実施例１４、１５、１６で提供される装置は、上記方法実施例で提供される情報処理方法を対応して実現できる装置である。ゆえに、上記の方法実施例で提供される情報処理方法のすべての実施例は、いずれも当該実施例１４、１５、１６に対応して適用可能であり、同一または類似な有益な効果を奏することもできる。
【０１５３】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１５４】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１５５】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１５６】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2020508610.tif 000003
【図２】
2020508610.tif 000004
【図３】
2020508610.tif 000005
【図４】
2020508610.tif 000006
【図５】
2020508610.tif 000007
【図６】
2020508610.tif 000008
【図７】
2020508610.tif 000009
【図８】
2020508610.tif 000010
【図９】
2020508610.tif 000011
【図１０】
2020508610.tif 000012
【図１１】
2020508610.tif 000013
【図１２】
2020508610.tif 000014
【図１３】
2020508610.tif 000015
【図１４】
2020508610.tif 000016
【図１５】
2020508610.tif 000017
【図１６】
2020508610.tif 000018
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
ＵＥ（Ｕｓｅｒ  Ｅｑｕｉｐｍｅｎｔ）の登録更新要求を受信することと、
前記ＵＥがＭＩＣＯ（Ｍｏｂｉｌｅ  Ｏｒｉｇｉｎａｔｅｄ  ｃｏｎｎｅｃｔｉｏｎ  ｏｎｌｙ）モードに移行したか、またはＭＩＣＯモードから移行したかを特定することと、
前記ＵＥがＭＩＣＯモードから移行したと特定した場合、前記ＵＥがＭＩＣＯモードから移行しまたは到達可能であることを関連ＳＭＦ（Ｓｅｓｓｉｏｎ  Ｍａｎａｇｅｍｅｎｔ  Ｆｕｎｃｔｉｏｎ）に通知するための第１通知メッセージを前記関連ＳＭＦに送信すること、及び／または、
前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信することとを含む情報処理方法。
【請求項２】
前記関連ＳＭＦは、ＭＩＣＯ指示または端末の到達不可能指示が送信されたＳＭＦを含み、
前記目標ＳＭＦは、ＭＩＣＯ指示または端末の到達不可能指示が送信されなかったＳＭＦを含む請求項１に記載の方法。
【請求項３】
前記ＵＥのダウンリンクシグナリングまたはデータの到達のためにトリガーされる情報通知である通知メッセージまたはダウンリンクページング要求を前記目標ＳＭＦから送信しなくなるよう、前記ＵＥがＭＩＣＯモードに移行したことを前記目標ＳＭＦに指示するためのＭＩＣＯ指示は、前記第２通知メッセージに付帯される請求項１に記載の方法。
【請求項４】
前記目標ＳＭＦが存在するか否か、および、前記第２通知メッセージを前記目標ＳＭＦに送信するか否かを特定することと、
前記目標ＳＭＦが存在せず、または、前記第２通知メッセージを前記目標ＳＭＦに送信する必要がないと特定した場合、直接前記ＵＥの登録更新プロセスを完成させることをさらに含む請求項１に記載の方法。
【請求項５】
前記ＵＥからのアップリンクデータ送信が必要であることを示すＩＤは、前記登録更新要求に付帯され、
前記ＵＥのデータプレーン伝送経路の回復を、前記ＵＥにデータ伝送サービスを提供するＳＭＦに通知することに用いられる第３通知メッセージを、前記ＵＥにデータ伝送サービスを提供するＳＭＦに送信することをさらに含む請求項１に記載の方法。
【請求項６】
前記ＵＥがＭＩＣＯモードに移行したか、またはＭＩＣＯモードから移行したかを特定することは、
位置更新前のＡＭＦから前記ＵＥのコンテキスト情報を取得することと、
前記ＵＥのコンテキスト情報に基づいて、前記ＵＥがＭＩＣＯモードに移行したか、またはＭＩＣＯモードから移行したかを特定することとを含む請求項１〜５のいずれか一項に記載の方法。
【請求項７】
ＵＥがＭＩＣＯモードに移行したかを特定することと、
前記ＵＥがＭＩＣＯモードに移行したと特定すると、前記ＵＥのダウンリンクシグナリングまたはデータの到達のためにトリガーされる情報通知である通知メッセージまたはダウンリンクページング要求を送信しなくなるよう、前記ＵＥのサービングＳＭＦに指示することとを含む情報処理方法。
【請求項８】
前記ＵＥがＭＩＣＯモードに移行したと特定すると、通知メッセージまたはダウンリンクページング要求を送信しなくなるよう、前記ＵＥのサービングＳＭＦに指示することは、
前記ＵＥがＭＩＣＯモードに移行したと特定すると、前記ＵＥに対しＰＤＵ（Ｐｒｏｔｏｃｏｌ  Ｄａｔａ  Ｕｎｉｔ）セッションを確立するプロセスで、前記ＵＥのサービングＳＭＦを特定することと、
前記通知メッセージまたはダウンリンクページング要求を前記ＳＭＦから送信しなくなるよう、前記ＵＥがＭＩＣＯモードに移行したことを前記ＳＭＦに指示することに用いられるＭＩＣＯ指示を、前記ＳＭＦに送信することとを含み、
または、
前記ＵＥがＭＩＣＯモードに移行したと特定すると、通知メッセージまたはダウンリンクページング要求を送信しなくなるよう、前記ＵＥのサービングＳＭＦに指示することは、
前記ＵＥがＭＩＣＯモードに移行したと特定すると、前記ＳＭＦから送信された前記通知メッセージまたはダウンリンクページングを拒否し、前記通知メッセージまたはダウンリンクページング要求を送信しなくなるよう前記ＳＭＦに指示することに用いられるＭＩＣＯ指示または端末の到達不可能指示を前記ＳＭＦに送信することを含む請求項７に記載の方法。
【請求項９】
前記ＭＩＣＯ指示または前記端末の到達不可能指示が送信されたＳＭＦの情報を記憶することと、
前記ＵＥがＭＩＣＯモードから移行したと特定すると、前記情報に基づいて、前記ＵＥがＭＩＣＯモードから移行したことを示す通知を前記ＳＭＦに送信することとをさらに含む請求項８に記載の方法。
【請求項１０】
ＵＥのダウンリンクシグナリングまたはデータの到達のためにトリガーされる情報通知である通知メッセージまたはダウンリンクページング要求の送信が必要となると、前記ＵＥがＭＩＣＯモードに移行したかを特定することと、
前記ＵＥがＭＩＣＯモードに移行したと特定すると、前記通知メッセージまたは前記ダウンリンクページング要求を前記ＵＥに送信しないこと、及び／または、
前記ＵＥがＭＩＣＯモードに移行しなかったと特定すると、または、前記ＵＥの到達不可能を特定すると、前記通知メッセージまたは前記ダウンリンクページング要求を、前記ＵＥのサービングＡＭＦに送信しないこととを含む情報処理方法。
【請求項１１】
前記のＵＥがＭＩＣＯモードに移行したかを特定することは、
ＭＩＣＯ指示が記憶されたかを特定することと、
前記ＭＩＣＯ指示が記憶された場合、前記ＵＥがＭＩＣＯモードに移行したと特定し、逆の場合、前記ＵＥがＭＩＣＯモードに移行しなかったと特定することとを含む請求項１０に記載の方法。
【請求項１２】
前記ＵＥの到達可能を特定すると、前記通知メッセージまたは前記ダウンリンクページング要求を、前記ＵＥのサービングＡＭＦに送信することをさらに含む請求項１０または１１に記載の方法。
【請求項１３】
ＡＭＦに設置される情報処理装置であって、
ＵＥの登録更新要求を受信する受信モジュールと、
前記ＵＥがＭＩＣＯモードに移行したか、またはＭＩＣＯモードから移行したかを特定する第１特定モジュールと、
前記ＵＥがＭＩＣＯモードから移行したと特定した場合、前記ＵＥがＭＩＣＯモードから移行しまたは到達可能であることを関連ＳＭＦに通知するための第１通知メッセージを前記関連ＳＭＦに送信する第１処理モジュールと、
前記ＵＥがＭＩＣＯモードに移行したと特定した場合、前記ＵＥがＭＩＣＯモードに移行しまたは到達不可能であることを目標ＳＭＦに通知するための第２通知メッセージを前記目標ＳＭＦに送信する第２処理モジュールとを含む情報処理装置。
【請求項１４】
ＡＭＦに設置される情報処理装置であって、
ＵＥがＭＩＣＯモードに移行したかを特定する特定モジュールと、
前記ＵＥがＭＩＣＯモードに移行したと特定すると、前記ＵＥのダウンリンクシグナリングまたはデータの到達のためにトリガーされる情報通知である通知メッセージまたはダウンリンクページング要求を送信しなくなるよう、前記ＵＥのサービングＳＭＦに指示する指示モジュールとを含む情報処理装置。
【請求項１５】
ＳＭＦに設置される情報処理装置であって、
ＵＥのダウンリンクシグナリングまたはデータの到達のためにトリガーされる情報通知である通知メッセージまたはダウンリンクページング要求の送信が必要となると、前記ＵＥがＭＩＣＯモードに移行したかを特定する特定モジュールと、
前記ＵＥがＭＩＣＯモードに移行したと特定すると、前記通知メッセージまたは前記ダウンリンクページング要求を前記ＵＥに送信しない第１処理モジュールと、
前記ＵＥがＭＩＣＯモードに移行しなかったと特定すると、または、前記ＵＥの到達不可能を特定すると、前記通知メッセージまたは前記ダウンリンクページング要求を、前記ＵＥのサービングＡＭＦに送信しない第２処理モジュールとを含む情報処理装置。
【国際調査報告】
2020508610.tif 000019
2020508610.tif 000020
2020508610.tif 000021
2020508610.tif 000022
2020508610.tif 000023
2020508610.tif 000024